(57)【要約】【課題】ハウジングの電線引出側の面にシールドシェルを固定するための隙間を必要とせずに済み、小型化を図ることができるシールドコネクタを提供する。【解決手段】端子２を収容するハウジング３と、ハウジング３の外周に配置されたシールドシェル４と、ハウジング３の電線引出部３１の外周を覆うように配置されたプロテクタ５とを備え、ハウジング３の電線引出部３１側の面３４にロック部３５、３６を設け、プロテクタ５にロック部５２、５３を設け、ハウジング３の電線引出部３１側の面３４に当接したシールドシェル４の箇所を、ハウジング３とプロテクタ５に挟み込んだ状態でロック部３５、３６とロック部５２、５３を係止し、シールドシェル４をプロテクタ５を介してハウジング３に固定した。【選択図】図２
2014220060.tif 000002
【特許請求の範囲】
【請求項１】
端子を収容し、且つ、電線引出部を有するハウジングと、前記ハウジングの外周に配置されたシールドシェルと、前記ハウジングの前記電線引出部の外周を覆うように配置されたプロテクタとを備え、
前記ハウジングの前記電線引出部側の面にハウジング側ロック部を設け、前記プロテクタにプロテクタ側ロック部を設け、
前記ハウジングの前記電線引出部側の面に当接した前記シールドシェルの箇所を、前記ハウジングと前記プロテクタに挟み込んだ状態で前記ハウジング側ロック部と前記プロテクタ側ロック部を係止し、前記シールドシェルを前記プロテクタを介して前記ハウジングに固定したことを特徴とするシールドコネクタ。
【請求項２】
請求項１記載のシールドコネクタであって、
前記プロテクタは、ベース部材とカバーをヒンジ部を介して連結され、カバーがベース部材の少なくとも組み付け方向の領域を開閉可能に設けられていることを特徴とするシールドコネクタ。
【請求項３】
請求項１又は請求項２に記載のシールドコネクタであって、
前記ハウジング側ロック部と前記プロテクタ側ロック部は、左右一対設けられ、
一対の前記ハウジング側ロック部は、前記電線引出部の電線引出方向に延びる被係止部と、前記被係止部に係止された前記プロテクタ側ロック部の電線引出方向への変移を阻止するストッパ部とをそれぞれ有し、
一対の前記プロテクタ側ロック部は、電線引出方向の直交方向に撓み変形するアーム部と、前記アーム部の先端側に設けられた係止爪部とをそれぞれ有し、
前記プロテクタが電線引出方向の直交方向より前記ハウジングに組み付けされると、一対の前記プロテクタ側ロック部は、前記アーム部がそれぞれ互いに逆方向に撓み変形して前記各係止爪部が前記被係止部に係止したことを特徴とするシールドコネクタ。
【請求項４】
請求項３記載のシールドコネクタであって、
前記ハウジングと前記プロテクタとには、一対の前記ハウジング側ロック部及び前記プロテクタ側ロック部と共に一対のハウジング側補助ロック部及びプロテクタ側補助ロック部がそれぞれ設けられ、
一対の前記ハウジング側補助ロック部は、前記電線引出部の電線引出方向に延びる位置規制部と、前記プロテクタ側補助ロック部の電線引出方向への変移を阻止するストッパ部とをそれぞれ有し、
前記プロテクタが電線引出方向の直交方向より前記ハウジングに組み付けされると、一対の前記プロテクタ側補助ロック部は、前記ハウジング側補助ロック部の前記各位置規制部と前記各ストッパ部に係止したことを特徴とするシールドコネクタ。
【発明の詳細な説明】
【技術分野】
【０００１】
本発明は、端子を収容するハウジングにシールドシェルを組み付けたシールドコネクタに関する。
【背景技術】
【０００２】
例えば、端子を収容するハウジングにシールドシェルを組み付けたシールドコネクタが従来より種々提案されている。かかるシールドコネクタの一従来例が図８及び図９に示されている。図８及び図９において、シールドコネクタ１００は、端子１０１を収容するハウジング１０２と、このハウジング１０２の外周に配置されたシールドシェル１０３とを備えている。ハウジング１０２の電線引出側（図９の右側）の面１０４には、弾性を有するロックアーム１０５が電線引出方向に突設され、シールドシェル１０３に、ロックアーム１０５が係止される係止孔１０６が設けられている。
【０００３】
上記構成において、ハウジング１０２にシールドシェル１０３を装着し、ロックアーム１０５をシールドシェル１０３の係止孔１０６に係止することにより、シールドシェル１０３がハウジング１０２に直接固定される。
【０００４】
また、上記従来例に類似する従来例として、特許文献１に記載されているものがある。
【先行技術文献】
【特許文献】
【０００５】
【特許文献１】特開２００９−８７８８８号公報
【発明の概要】
【発明が解決しようとする課題】
【０００６】
ところで、前述した従来技術のシールドコネクタ１００にあっては、ハウジング１０２の電線引出側の面１０４に設けたロックアーム１０５が撓むための長さが必要であると共に撓むための領域を確保する必要がある。そのため、ハウジング１０２の電線引出側の面１０４に隙間Ｓを空けてシールドシェル１０３を配置しなければならず、この隙間Ｓを確保するため、シールドコネクタ１００が大型化するという問題がある。
【０００７】
そこで、本発明は、前記した課題を解決すべくなされたものであり、ハウジングの電線引出側の面にシールドシェルを固定するための隙間を必要とせずに済み、小型化を図ることができるシールドコネクタを提供することを目的とする。
【課題を解決するための手段】
【０００８】
本発明は、端子を収容し、且つ、電線引出部を有するハウジングと、前記ハウジングの外周に配置されたシールドシェルと、前記ハウジングの前記電線引出部の外周を覆うように配置されたプロテクタとを備え、前記ハウジングの前記電線引出部側の面にハウジング側ロック部を設け、前記プロテクタにプロテクタ側ロック部を設け、前記ハウジングの前記電線引出部側の面に当接した前記シールドシェルの箇所を、前記ハウジングと前記プロテクタに挟み込んだ状態で前記ハウジング側ロック部と前記プロテクタ側ロック部を係止し、前記シールドシェルを前記プロテクタを介して前記ハウジングに固定したことを特徴とするシールドコネクタである。
【０００９】
前記プロテクタは、ベース部材とカバーをヒンジ部を介して連結され、カバーがベース部材の少なくとも組み付け方向の領域を開閉可能に設けられているものを含む。前記ハウジング側ロック部と前記プロテクタ側ロック部は、左右一対設けられ、一対の前記ハウジング側ロック部は、前記電線引出部の電線引出方向に延びる被係止部と、前記被係止部に係止された前記プロテクタ側ロック部の電線引出方向への変移を阻止するストッパ部とをそれぞれ有し、一対の前記プロテクタ側ロック部は、電線引出方向の直交方向に撓み変形するアーム部と、前記アーム部の先端側に設けられた係止爪部とをそれぞれ有し、前記プロテクタが電線引出方向の直交方向より前記ハウジングに組み付けされると、一対の前記プロテクタ側ロック部は、前記アーム部がそれぞれ互いに逆方向に撓み変形して前記各係止爪部が前記被係止部に係止したものを含む。前記プロテクタと前記ハウジングには、一対の前記ハウジング側ロック部及び前記プロテクタ側ロック部と共に一対のハウジング側補助ロック部及びプロテクタ側補助ロック部がそれぞれ設けられ、一対の前記ハウジング側補助ロック部は、前記電線引出部の電線引出方向に延びる位置規制部と、前記プロテクタ側補助ロック部の電線引出方向への変移を阻止するストッパ部とをそれぞれ有し、前記プロテクタが電線引出方向の直交方向より前記ハウジングに組み付けされると、一対の前記プロテクタ側補助ロック部は、前記ハウジング側補助ロック部の前記各位置規制部と前記各ストッパ部に係止したものを含む。
【発明の効果】
【００１０】
本発明によれば、ハウジングにシールドシェル及びプロテクタを組み込む際、ハウジングの電線引出部側の面に当接したシールドシェルの箇所をハウジングとプロテクタに挟み込み、この状態でハウジング側ロック部とプロテクタ側ロック部を係止することにより、シールドシェルをプロテクタを介してハウジングに固定する。これにより、ハウジングの電線引出部側の面にシールドシェルを固定するための隙間が必要ないため、シールドコネクタの小型化を図ることができる。
【図面の簡単な説明】
【００１１】
【図１】本発明の一実施形態を示し、シールドコネクタの組立斜視図である。
【図２】本発明の一実施形態を示し、シールドコネクタの分解斜視図である。
【図３】本発明の一実施形態を示し、シールドコネクタの要部の斜視図である。
【図４】本発明の一実施形態を示し、シールドコネクタの縦断面図である。
【図５】本発明の一実施形態を示し、シールドコネクタの横断面図である。
【図６】本発明の一実施形態を示し、ロック部などの構造を説明する縦断面図である。
【図７】本発明の一実施形態を示し、ロック部などの構造を説明する一部破断した斜視図である。
【図８】一従来例を示し、シールドコネクタの組立斜視図である。
【図９】一従来例を示し、シールドコネクタの横断面図である。
【発明を実施するための形態】
【００１２】
以下、本発明の一実施形態を図面に基づいて説明する。
【００１３】
図１〜図７は本発明の一実施形態を示す。この実施形態のシールドコネクタ１は、インバータケース（図示せず）に接続される高圧雌コネクタであり、インバータ内部にある端子台（図示せず）に嵌合することによりインバータに取り付けられる。なお、図７は図６（縦断面図）に対応する斜視図で、ロック部３５〜３８、５２〜５４の構造を分かりやすく説明するためハウジング３、シールドシェル４及びプロテクタ５などを一部破断した状態で示してある。
【００１４】
本実施形態のシールドコネクタ１は、図１及び図２に示すように、左右一対の端子２を収容する略筒状のハウジング３と、このハウジング３の外周に配置されたシールドシェル４と、ハウジング３の電線引出部３１の外周を覆うように配置されたプロテクタ５とを備えている。ハウジング３の外周面及びシールドシェル４の内周面間はシェルパッキン６により密封され、ハウジング３の外周にはユニットパッキン７が設けられている。
【００１５】
一対の端子２には電線２１が接続されている。この電線２１は、ハウジング３内より電線引出方向（図７の矢印Ａで示す方向）に延び、途中で下方に折り曲がると共に、ゴムブーツ２２により覆われている。更に、このゴムブーツ２２はプロテクタ５により覆われている。
【００１６】
ハウジング３の後端側には、電線２１を外部へ引き出すための電線引出部３１と、電線引出方向の直交方向に張り出すフランジ部３０とが設けられる。電線引出部３１には、電線２１を保持するリアホルダ３２が設けられ、このリアホルダ３２より前端側に、ハウジング３及び電線２１間を密封するゴム栓３３が設けられている。
【００１７】
ハウジング３の電線引出部３１側に位置するフランジ部３０の面３４には、プロテクタ５の後述する立設側部５６の上方に配置される左右一対のハウジング側ロック部３５、３６が設けられている。これらのロック部３５、３６は、フランジ部３０の面３４より突出し、電線引出部３１の電線引出方向に延びる被係止部３５ａ、３６ａと、被係止部３５ａ、３６ａに係止されたロック部５２、５３の電線引出方向への変移を阻止するストッパ部３５ｂ、３６ｂとをそれぞれ有する。
【００１８】
また、ハウジング３には、左右一対の前記ハウジング側ロック部３５、３６と共に、これより内側に配置される左右一対のハウジング側補助ロック部３７、３８がそれぞれ設けられている。これらの補助ロック部３７、３８は、フランジ部３０の面３４より突出し、電線引出部３１の電線引出方向に延びる位置規制部３７ａ、３８ａと、後述するプロテクタ側補助ロック部５４の電線引出方向への変移を阻止するストッパ部３７ｂ、３８ｂとをそれぞれ有する。
【００１９】
シールドシェル４には、前記ハウジング側ロック部３５、３６がそれぞれ挿通される挿通孔４１，４２と、前記ハウジング側補助ロック部３７、３８がそれぞれ挿通される挿通孔４３，４４とが設けられている。
【００２０】
プロテクタ５は、ベース部材５Ａと、このベース部材５Ａにヒンジ部５１を介して上下開閉可能に設けられたカバー５Ｂとから構成されている。ベース部材５Ａは、底板部５５とこの底板部５５の左右両端より立設された一対の立設側部５６とを有する。カバー５Ｂは、ベース部材５Ａの上面側、左右側面側及び後面側を覆う形状を有する。ヒンジ部５１は、一方の立設側部５６とカバー５Ｂの一端側を連結している。カバー５Ｂは、ヒンジ部５１の撓み変形を利用してベース部材５Ａの上面側、左右側面側及び後面側を覆う閉塞位置（図１、図２等の位置）と、これらの空間を開放する開放位置との間で変位できる。つまり、プロテクタ５は、ベース部材５Ａとカバー５Ｂをヒンジ部５１を介して連結され、カバー５Ｂがベース部材５Ａの少なくとも組み付け方向（上面側）の領域を開閉可能に設けられている。カバー５Ｂは、閉塞位置では、ベース部材５Ａの係止爪５７とカバー５Ｂの係止穴５８が係止されることによってロックされる（図１参照）。
【００２１】
プロテクタ５の各立設側部５６の上方には、ハウジング側ロック部３５、３６にそれぞれ係止される左右一対のプロテクタ側ロック部５２、５３が設けられている。これらのロック部５２、５３は、立設側部５６より上方に突出し、電線引出方向の直交方向（図７の矢印Ｂ、Ｃで示す方向）に撓み変形するアーム部５２ａ、５３ａと、アーム部５２ａ、５３ａの先端側に設けられた係止爪部５２ｂ、５３ｂとをそれぞれ有する。また、プロテクタ５の各立設側部５６には、左右一対の前記プロテクタ側ロック部５２、５３と共に、左右一対のプロテクタ側補助ロック部５４がそれぞれ設けられている。これらの補助ロック部５４は、プロテクタ側ロック部５２、５３より内側に配置されている。補助ロック部５４の上部には、上方ストッパ段差面５４ａが設けられており、プロテクタ５の組み付け時に、上方ストッパ段差面５４ａに位置規制部３７ａ、３８ａがそれぞれ当接することにより、プロテクタ５の位置決めが行われる。
【００２２】
上記構成において、当該シールドコネクタ１の組立時に、ハウジング３にシェルパッキン６及びシールドシェル４を装着して、ハウジング３に端子２、電線２１、及びリアホルダ３２を組み込み、電線２１を覆うようにゴムブーツ２２を装着し、カバー５Ｂを開放位置としたプロテクタ５を電線引出方向の直交方向（図７の矢印Ｄで示す方向）よりハウジング３に組み付けする。これにより、ハウジング３のフランジ部３０の面（すなわち電線引出部３１側の面）３４に当接したシールドシェル４の箇所をハウジング３のフランジ部３０とプロテクタ５に挟み込み、この状態でハウジング側ロック部３５、３６とプロテクタ側ロック部５２、５３を係止するので、シールドシェル４がプロテクタ５を介してハウジング３に固定される。プロテクタ５のカバー５Ｂを閉塞位置に変位し、カバー５Ｂをベース部材５Ａにロックする。これにより、ハウジング３の後面側より引き出された電線２１の箇所がプロテクタ５で覆われる。
【００２３】
また、上記のようにプロテクタ５が電線引出方向の直交方向よりハウジング３に組み付けされると、一対のプロテクタ側ロック部５２、５３は、アーム部５２ａ、５３ａがそれぞれ互いに逆方向、すなわち図７の矢印Ｂ、Ｃで示す方向に撓み変形して各係止爪部５２ｂ、５３ｂが被係止部３５ａ、３６ａに係止する。同時に、一対のプロテクタ側補助ロック部５４は、ハウジング側補助ロック部３７、３８の各位置規制部３７ａ、３８ａと各ストッパ部３７ｂ、３８ｂに係止する。
【００２４】
以上説明したように、ハウジング３の電線引出部３１側に位置するフランジ部３０の面３４にシールドシェル４を当接した状態でシールドシェル４をハウジング３に固定でき、ハウジング３の電線引出部３１側の面３４にシールドシェル４を固定するための隙間が必要ないため、シールドコネクタ１の小型化を図ることができる。
【００２５】
プロテクタ５は、ベース部材５Ａとカバー５Ｂをヒンジ部５１を介して連結され、カバー５Ｂがベース部材５Ａの少なくとも組み付け方向の領域を開閉可能に設けられている。従って、プロテクタ５をハウジング３の電線引出方向の直交方向より組み付けする際に、カバー５Ｂを電線Ｗに干渉させることなくベース部材５Ａを所定の組み付け位置に移動でき、プロテクタ５の組み付けができる。カバー５Ｂは、ヒンジ部５１を介してベース部材５Ａに連結されているため、カバー５Ｂのベース部材５Ａへの組み付けを容易、且つ、確実に行うことができる。又、プロテクタ５の組み付け後に、閉塞位置のカバーＢを開放位置とすることによってプロテクタ５内の状態を容易に確認できる。カバー５Ｂは、ヒンジ部５１を介してベース部材５Ａに連結されない分離された部材であっても良い。
【００２６】
プロテクタ５とハウジング３間は、組み付け解除方向（図７の矢印Ｅで示す方向）について、各係止爪部５２ｂ、５３ｂ及び各被係止部３５ａ、３６ａによって変移が阻止され、電線引出方向（すなわちプロテクタ５とハウジング３の離間方向）について、アーム部５２ａ、５３ａとストッパ部３５ｂ、３６ｂとによって変移が阻止される。従って、プロテクタ５とハウジング３間は、強固に固定されるため、ひいては、シールドシェル４をハウジング３に強固に固定できる。
【００２７】
一対のハウジング側補助ロック部３７、３８とプロテクタ側補助ロック部５４は、前記アーム部５２ａ、５３ａの撓み方向への変移と電線引出方向への変移を阻止するため、プロテクタ５とハウジング３間は、更に強固に固定され、ひいては、シールドシェル４をハウジング３に更に強固に固定できる。
【００２８】
プロテクタ５の外側に露出する状態でプロテクタ側ロック部５２、５３とハウジング側ロック部３５、３６が係止するので、プロテクタ５の外部から目視で係止の有無を確認できる。
【符号の説明】
【００２９】
１  シールドコネクタ
２  端子
３  ハウジング
４  シールドシェル
５  プロテクタ
５Ａ  ベース部材
５Ｂ  カバー
３１  電線引出部
３４  面
３５、３６  ハウジング側ロック部
３５ａ、３６ａ  被係止部
３５ｂ、３６ｂ  ストッパ部
３７、３８  ハウジング側補助ロック部
３７ａ、３８ａ  位置規制部
３７ｂ、３８ｂ  ストッパ部
５１  ヒンジ部
５２、５３  プロテクタ側ロック部
５２ａ、５３ａ  アーム部
５２ｂ、５３ｂ  係止爪部
５４  プロテクタ側補助ロック部
【図１】
2014220060.tif 000003
【図２】
2014220060.tif 000004
【図３】
2014220060.tif 000005
【図４】
2014220060.tif 000006
【図５】
2014220060.tif 000007
【図６】
2014220060.tif 000008
【図７】
2014220060.tif 000009
【図８】
2014220060.tif 000010
【図９】
2014220060.tif 000011